(57)【要約】      （修正有）【課題】安全上のリスクを避けられ、室内環境を改善する吊り式ファンライトを提供する。【解決手段】吊り式ファンライトは、扇風機と、シーリングライト４とを含み、扇風機は、下向きに開口するチャンバーが設けられる上蓋１と、上蓋１のチャンバーを備える側に接続される下蓋２と、下蓋２の上蓋１に近い側に取り付けられ、且つ上蓋１のチャンバー内に延伸するモーターと、モーターの主軸に取り付けられ、且つ上蓋１のチャンバー内に位置する風車５とを備え、シーリングライト４は下蓋２の上蓋１から離れる側に設けられる。吊り式ファンライトでは、風車５の回転時の共振から生じるノイズは効果的に低減され、室内環境の快適性が改善されるとともに、モーターの水との接触が避けられ、水と電気の効果的な分離を実現できるため、動作中の安全性が向上する。【選択図】図１
0003231093.tif 000002
【実用新案登録請求の範囲】
【請求項１】
扇風機と、シーリングライトとを含む吊り式ファンライトであって、
前記扇風機は、下向きに開口するチャンバーが設けられる上蓋と、
前記上蓋のチャンバーを備える側に接続される下蓋と、
前記下蓋の前記上蓋に近い側に取り付けられ、且つ前記上蓋のチャンバー内に延伸するモーターと、
前記モーターの主軸に取り付けられ、且つ前記上蓋のチャンバー内に位置する風車とを備え、
前記シーリングライトは前記下蓋の前記上蓋から離れる側に設けられることを特徴とする吊り式ファンライト。
【請求項２】
前記風車の前記チャンバー内に延伸する一端には、前記上蓋から水滴を集めるための集水溝が設けられることを特徴とする請求項１に記載の吊り式ファンライト。
【請求項３】
前記下蓋の前記風車に対向する位置には、前記風車を伝って流れてくる水滴を集めるための集水リングが設けられることを特徴とする請求項１に記載の吊り式ファンライト。
【請求項４】
前記下蓋には前記風車と同軸に吸込口が設けられ、前記モーターはサポートフレームによって前記吸込口に取り付けられることを特徴とする請求項１に記載の吊り式ファンライト。
【請求項５】
前記下蓋の前記上蓋から離れる側には、空気を濾過するためのフィルタネットがさらに設けられ、前記フィルタネットは前記上蓋に接続されることを特徴とする請求項１に記載の吊り式ファンライト。
【請求項６】
前記フィルタネットの対向する両側に係合突起が設けられ、前記上蓋の側壁には係合孔が対応して設けられ、前記フィルタネットは前記上蓋に係合して接続されることを特徴とする請求項５に記載の吊り式ファンライト。
【請求項７】
前記上蓋のチャンバー内には前記風車を閉鎖するためのボルテックスチャンバーが設けられ、前記ボルテックスチャンバーは前記上蓋の排気口に連通することを特徴とする請求項１に記載の吊り式ファンライト。
【請求項８】
前記排気口にガイドシェードが設けられ、前記ガイドシェードは前記上蓋の側壁に取り外し可能に接続されることを特徴とする請求項７に記載の吊り式ファンライト。
【請求項９】
前記下蓋と前記上蓋はボルトによって接続されることを特徴とする請求項１に記載の吊り式ファンライト。
【請求項１０】
前記シーリングライトはライトホルダーと、前記ライトホルダーに接続されるリングライトとを含み、前記ライトホルダーの中部に吸込孔が設けられ、前記ライトホルダーの対向する両側にはシーリングに係止するためのリテーニングリングが設けられることを特徴とする請求項１〜９のいずれか１項に記載の吊り式ファンライト。
【考案の詳細な説明】
【技術分野】
【０００１】
本考案は、照明器具の技術分野に関し、より詳しく言えば、吊り式ファンライトに関する。
【背景技術】
【０００２】
ファンライトはシーリングライトと扇風機を組み合わせたもので、照明具と扇風機の機能を兼ね備えるだけでなく、室内を装飾する効果がある。シーリングにシーリングライトと扇風機の両方を取り付ける必要があるため、空間が足りないという問題は避けられる。
【０００３】
従来のファンライトでは、扇風機のモーターは扇風機の上蓋に固定され、モーターが風車を連れて負圧を形成させ、吸込口から外部の空気を吸い込み、吹出口から排出する。このようなファンライトは欠点がある。モーターが扇風機の上蓋に固定され、扇風機の上蓋がシーリングに固定され、モーターの振動が上蓋を介してシーリングに伝わるため、共振が生じやすく、ノイズが発生すると、室内環境にマイナスの影響がある。また、外部の湿った空気が吸い込まれると、チャンバー内に水滴に凝集されて扇風機の上蓋に溜まりやすく、上蓋に固定されるモーターが水と接触しやすいため、動作中に安全上のリスクがある。
【考案の概要】
【考案が解決しようとする課題】
【０００４】
本考案は、従来のファンライトに存在する安全上のリスクや室内環境の問題を解決するために、吊り式ファンライトを提供することを目的とする。
【課題を解決するための手段】
【０００５】
上記の目的を達成するための本考案の技術的解決手段は次のとおりである。
扇風機と、シーリングライトとを含み、前記扇風機は、下向きに開口するチャンバーが設けられる上蓋と、前記上蓋のチャンバーを備える側に接続される下蓋と、前記下蓋の前記上蓋に近い側に取り付けられ、且つ前記上蓋のチャンバー内に延伸するモーターと、前記モーターの主軸に取り付けられ、且つ前記上蓋のチャンバー内に位置する風車とを備え、前記シーリングライトは前記下蓋の前記上蓋から離れる側に設けられる、吊り式ファンライトを提供する。
【０００６】
本願の一実施例では、前記風車の前記チャンバー内に延伸する一端には、前記上蓋から水滴を集めるための集水溝が設けられる。
【０００７】
本願の一実施例では、前記下蓋の前記風車に対向する位置には、前記風車を伝って流れてくる水滴を集めるための集水リングが設けられる。
【０００８】
本願の一実施例では、前記下蓋には前記風車と同軸に吸込口が設けられ、前記モーターはサポートフレームによって前記吸込口に取り付けられる。
【０００９】
本願の一実施例では、前記下蓋の前記上蓋から離れる側には、空気を濾過するためのフィルタネットがさらに設けられ、前記フィルタネットは前記上蓋に接続される。
【００１０】
本願の一実施例では、前記フィルタネットの対向する両側に係合突起が設けられ、前記上蓋の側壁には係合孔が対応して設けられ、前記フィルタネットは前記上蓋に係合して接続される。
【００１１】
本願の一実施例では、前記上蓋のチャンバー内には前記風車を閉鎖するためのボルテックスチャンバーが設けられ、前記ボルテックスチャンバーは前記上蓋の排気口に連通する。
【００１２】
本願の一実施例では、前記排気口にガイドシェードが設けられ、前記ガイドシェードは前記上蓋の側壁に取り外し可能に接続される。
【００１３】
本願の一実施例では、前記下蓋と前記上蓋はボルトによって接続される。
【００１４】
本願の一実施例では、前記シーリングライトはライトホルダーと、前記ライトホルダーに接続されるリングライトとを含み、前記ライトホルダーの中部に吸込孔が設けられ、前記ライトホルダーの対向する両側にはシーリングに係止するためのリテーニングリングが設けられる。
【考案の効果】
【００１５】
本考案の吊り式ファンライトの有益な効果は次のとおりである。
従来技術と比べて、本考案の吊り式ファンライトは、扇風機の上蓋はシーリングに接続するために用いられ、モーターは扇風機の下蓋に吊下げるように取り付けられ、下蓋は上蓋に接続されるというものである。モーターは上蓋とは直接的に接続しないため、モーター及び風車が振動の発生源となり、モーターが発生した振動はまず下蓋に伝達され、そして上蓋へ、さらにシーリングへというふうに伝達されると、振動のエネルギーが弱められ、また、上蓋は下向きに開口するチャンバーを備え、チャンバーが振動エネルギーを吸収して、振動エネルギーの伝達を弱められるため、振動波がシーリングまで伝達される時には、振動エネルギーが大幅に低減され、最終的になくなることにより、風車の回転時の共振から生じるノイズは効果的に低減され、室内のノイズ汚染が緩和され、室内環境の快適性が改善される。モーターは下蓋に吊下げるように取り付けられるため、吸い込まれた外部の湿った空気が上蓋の上部で水滴に凝集されても、水滴が落ちる時には、モーターに落ちるのではなく、風車に止まるため、水と電気の効果的な分離が実現され、モーターの電気部品の腐食や短絡が未然に防げ、安全上のリスクは避けられる。
【図面の簡単な説明】
【００１６】
次に、本考案の実施例に係る技術的解決手段を一層明瞭に説明するために、従来技術又は実施例の説明に用いる図面を簡単に説明する。なお、次の説明に係る図面は本考案のいくつかの実施例を示すものに過ぎず、当業者が新規性のある作業をすることなく、これらの図面から他の図面を得ることができる。
【図１】図１は本考案の実施例に係る吊り式ファンライトの分解構造模式図その１である。
【図２】図２は本考案の実施例に係る吊り式ファンライトの分解構造模式図その２である。
【図３】図３は図１の吊り式ファンライトの底面構造模式図である。
【図４】図４は図１の吊り式ファンライトの上面構造模式図である。
【図５】図５は図４のＡ−Ａ線における断面構造図である。
【図６】図６は図４のＢ−Ｂ線における断面構造図である。
【図７】図７は図４の上蓋及びガイドシェードの立体構造図である。
【図８】図８は図４の上蓋の立体構造図その１である。
【図９】図９は図４の上蓋の立体構造図その２である。
【考案を実施するための形態】
【００１７】
次に、本考案が解決しようとする課題、技術的解決手段及び有益な効果が一層明瞭になるよう、実施例及び図面を参照して、本考案の一層詳細な説明を行う。なお、ここで説明するいくつかの実施例は本考案の限定にならず、その説明のためのものに過ぎない。
【００１８】
図１及び図２を参照して、本考案の吊り式ファンライトを説明する。前記吊り式ファンライトは、扇風機と、シーリングライト４とを含み、前記扇風機は、下向きに開口するチャンバーが設けられる上蓋１と、前記上蓋１のチャンバーを備える側に接続される下蓋２と、前記下蓋２の前記上蓋１に近い側に取り付けられ、且つ前記上蓋１のチャンバー内に延伸するモーター２３と、前記モーター２３の主軸に取り付けられ、且つ前記上蓋１のチャンバー内に位置する風車５とを備え、シーリングライト４は前記下蓋２の前記上蓋１から離れる側に設けられる。
【００１９】
本考案の吊り式ファンライトの有益な効果は次のとおりである。
従来技術と比べると、第１に、扇風機の上蓋１はシーリングに接続するために用いられ、モーター２３は扇風機の下蓋２に吊下げるように取り付けられ、下蓋２は上蓋１に接続されるというものである。モーター２３は上蓋１とは直接的に接続しないため、モーター２３及び風車５が振動の発生源となり、モーター２３が発生した振動はまず下蓋２に伝達され、そして上蓋１へ、さらにシーリングへというふうに伝達されると、振動のエネルギーが弱められ、また、上蓋１は下向きに開口するチャンバーを備え、チャンバーが振動エネルギーを吸収して、振動エネルギーの伝達を弱められるため、振動波がシーリングまで伝達される時には、振動エネルギーが大幅に低減され、最終的になくなることにより、風車５の回転時の共振から生じるノイズが大幅に低減され、室内のノイズ汚染が緩和され、室内環境の快適性が改善される。第２に、モーター２３は下蓋２に吊下げるように取り付けられ、風車５はモーター２３の上方に位置するため、吸い込まれた外部の湿った空気が上蓋１の上部で水滴に凝集されても、水滴が落ちる時には、モーター２３に落ちるのではなく、風車５に止まるため、水と電気の効果的な分離が実現され、モーター２３の電気部品の腐食や短絡が未然に防げ、安全上のリスクは避けられる。
【００２０】
本考案の吊り式ファンライトの一実施形態では、図１、図５、図６が参照されるとおり、前記風車５の前記チャンバー内に延伸する一端には、水滴を集めるための集水溝５１が設けられる。本実施例では、上蓋１の上部の水滴が大きくなると、風車５の集水溝５１内に落ちる。この時に、集水溝５１内の水滴が風車５の回転に伴って遠心運動をするため、速やかに乾燥され、遠心運動中に振り出される一部の水滴が、上蓋１のチャンバーの側壁に遮られた場合には、回転が継続するため、そのうちに乾燥され、モーター２３に乾燥した動作環境が確保される。
【００２１】
本実施例では、集水溝５１は、水滴が風車５の回転に伴って振り出されるように、半球形構造又は円錐形構造である。
【００２２】
本考案の実施例の一実施形態では、図５及び図６が参照されるとおり、前記下蓋２の前記風車５に対向する位置には、前記風車５を伝って流れてくる水滴を集めるための集水リング２４が設けられる。本実施例では、集水リング２４を設けることで、上蓋１の上部に溜まる水滴が風車５を囲う下蓋２に落ちる場合に、集水リング２４内に集められ、風車５に溜まる水滴の一部が風車５を伝って集水リング２４内に流れると、モーター２３への腐食が避けられ、使用時の安全性は高められる。
【００２３】
本考案の実施例の一実施形態では、図２が参照されるとおり、前記下蓋２には前記風車５と同軸に吸込口が設けられ、前記モーター２３はサポートフレーム２２によって前記吸込口に取り付けられる。モーター２３は吸込口に取り付けられるため、空気の流動により放熱させてモーター２３を冷却することができ、また、モーター２３がサポートフレーム２２によって支持されることで、サポートフレーム２２に溜まる水滴でモーター２３が壊れることは避けられる。本実施例では、サポートフレーム２２は十字架構造又は均一に放射状に分布する複数の支持アームであり、モーター２３はボルトによってサポートフレーム２２に取り付けられる。
【００２４】
本考案の実施例の一実施形態では、図１及び図２が参照されるとおり、前記下蓋２の前記上蓋１から離れる側には、空気を濾過するためのフィルタネット３がさらに設けられ、前記フィルタネット３は前記上蓋１に接続される。フィルタネット３は空気中の塵埃、浮遊粒子などを濾過して除去することで、空気中の塵埃や浮遊粒子が風車５に付着して、風車５の機能を弱めることは避けられ、より長い間隔で風車５の洗浄を行ってもよい。
【００２５】
本考案の実施例の一実施形態では、図１及び図２が参照されるとおり、前記フィルタネット３の対向する両側に係合突起３１が設けられ、前記上蓋１の側壁には係合孔１３が対応して設けられ、前記フィルタネット３は前記上蓋１に係合して接続される。本実施例では、上蓋１のチャンバーの開口の内壁に環状溝が設けられ、フィルタネット３の四周が環状溝内に係入され、係合突起３１が係合孔１３を通ることで、フィルタネット３の確実な接続を実現する。
【００２６】
本考案の実施例の一実施形態では、図２、図９が参照されるとおり、前記上蓋１のチャンバー内には前記風車５を閉鎖するためのボルテックスチャンバー１１が設けられ、前記ボルテックスチャンバー１１は前記上蓋１の排気口１２に連通する。ボルテックスチャンバー１１によって風車５の周りに負圧が生じると、外部の空気がボルテックスチャンバー１１に吸い込まれ、排気口１２から排出される。風車５に落ちる水滴が遠心力によってボルテックスチャンバー１１内を回旋することで、ボルテックスチャンバー１１内の空気が早く乾燥される。
【００２７】
本考案の実施例の一実施形態では、図２から図９が参照されるとおり、前記排気口１２にガイドシェード６が設けられ、前記ガイドシェード６は前記上蓋１の側壁に取り外し可能に接続される。本実施例では、ガイドシェード６が上蓋１に取り外し可能に接続されるとは、上蓋１の排気口１２に挿入孔６２又はチャック１４が設けられ、ガイドシェード６には挿入孔６２に挿着するチャック１４又はチャック１４に挿着する挿入孔６２が対応して設けられる。また、上蓋１の排気口１２で対称な両側にガイド溝が設けられ、ガイドシェード６の対応する両側にガイドバー６１が設けられる。取り付ける時は、ガイドバー６１をガイド溝１５に沿って挿入し、対応するチャック１４を挿入孔６２に挿入することで済むため、簡易な取り付けを実現できる。
【００２８】
本考案の実施例の一実施形態では、図１、図２、図９が参照されるとおり、前記下蓋２と前記上蓋１はボルトによって接続される。下蓋２の上蓋１に近い側に支持座２１が設けられ、支持座２１には貫通孔又はねじ孔が設けられ、上蓋１の上部にスタッド１６が設けられ、ボルトを下蓋２から上蓋１に挿通すると接続される。
【００２９】
本考案の実施例の一実施形態では、図１から図４が参照されるとおり、前記シーリングライト４はライトホルダー４４と、前記ライトホルダー４４に接続されるリングライト４３とを含み、前記ライトホルダー４４の中部に吸込孔４５が設けられ、前記ライトホルダー４４の対向する両側にはシーリングに係止するためのリテーニングリング４１が設けられる。本実施例では、ライトホルダー４４の四周に係止溝が設けられ、リングライト４３は係止溝内に係止される。
【００３０】
本実施例では、図１が参照されるとおり、リテーニングリング４１としてトーションスプリングが使用され、ライトホルダー４４にストップリングが設けられ、ライトホルダー４４上のストップリング内にはリテーニングリング４１を取り付けるための固定柱４２が設けられ、リテーニングリング４１は固定柱４２に接続されたストップシートによって接続され、リテーニングリング４１の両端がストップリングを通って、ストップリングの外壁に支持される。取り付ける時は、ライトホルダー４４を取付け孔に挿入すると、リテーニングリング４１の両端がシーリングの取付け孔の側壁に押さえられ、ライトホルダー４４が引き続き取付け孔の奥の方に進むと、リテーニングリング４１の両端が取付け孔の側壁に設けられた環状の係止溝に係入され、この時に、リングライト４３の１つの端面がシーリングに密着され、シーリングライト４の取り付けが完了する。取り外す時は、リテーニングリング４１を押えるだけで、シーリングライト４が外れる。
【００３１】
本実施例では、図１から図３が参照されるとおり、吸込孔４５はアレイのように分布する。
【００３２】
本考案のファンライトでは、扇風機及びシーリングライト４は別々に使用することができ、個別に取り付けることが可能である。取り付ける時は、シーリングに設けられた取付け孔に扇風機をセットし、上蓋１をシーリングのボルトに接続させ、その後、シーリングライト４を取付け孔内に係止させる。
【００３３】
図２が参照されるとおり、本考案のファンライトはブルートゥーススピーカー７と、コントロールモジュールとをさらに含み、ブルートゥーススピーカー７にブルートゥースチップが搭載され、従来のコードで接続された音響機器の代わりにブルートゥース接続を利用し、スマートフォンや、タブレットＰＣ、ノートパソコン等のブルートゥースプレーヤーと接続することで、操作の一層の便利化が図れる。
【００３４】
上述した内容が本考案の限定にならず、その好ましい実施例に過ぎない。本考案の趣旨を超えることなくなされた変更や、同等な差し替え、改良等は、いずれも本考案の保護範囲に含まれる。
【符号の説明】
【００３５】
１...上蓋、１１...ボルテックスチャンバー、１２...排気口、１３...係合孔、１４...チャック、１５...ガイド溝、１６...スタッド、２...下蓋、２１...支持座、２２...サポートフレーム、２３...モーター、２４...集水リング、３...フィルタネット、３１...係合突起、４...シーリングライト、４１...リテーニングリング、４２...固定柱、４３...リングライト、４４...ライトホルダー、４５...吸込孔、５...風車、５１...集水溝、６...ガイドシェード、６１...ガイドバー、６２...挿入孔、７...ブルートゥーススピーカー。
【図１】
0003231093.tif 000003
【図２】
0003231093.tif 000004
【図３】
0003231093.tif 000005
【図４】
0003231093.tif 000006
【図５】
0003231093.tif 000007
【図６】
0003231093.tif 000008
【図７】
0003231093.tif 000009
【図８】
0003231093.tif 000010
【図９】
0003231093.tif 000011